(57)【要約】【課題】  トークバックにより会話をしている場合に、主にトークバック信号だけを聞けるようにする。【解決手段】  Ｎ入力チャンネルの入力チャンネル部３１からのＮ入力チャンネル信号は、選択的にＭ本の混合バス３７およびキューバス３８に供給される。混合バス３７から出力される混合出力はトークバック入力部３３を介してＭ出力チャンネルの出力チャンネル部３４に供給され、出力チャンネル部３４からのＭ出力チャンネル信号は出力パッチ３６により、出力ポートにパッチされる。トークバック部３２からのトークバック信号はトークバック入力部３３に供給され、トークバックがオンされた際に、混合バス３７からの混合出力にトークバック信号がミックスされて、出力チャンネルに出力される。この際に、混合出力はディマーにより一時的に減衰される。【選択図】  図２
2011024169.tif 000002
【特許請求の範囲】
【請求項１】
入力するオーディオ信号を各混合バス毎に個別にレベルを制御して、それぞれ出力するＮ入力チャンネル（Ｎは１以上の整数）を有する入力チャンネル部と、
該入力チャンネル部から供給されるオーディオ信号を混合して、それぞれ混合出力を出力するＭ本（Ｍは１以上の整数）の混合バスと、
該混合バスから出力される混合出力がそれぞれ供給されるＭ出力チャンネルを有する出力チャンネル部と、
該出力チャンネル部における各出力チャンネルの前段にそれぞれ設けられているＭ個のトークバック入力部と、
前記Ｍ個のトークバック入力部のいずれか１つを選択する選択部と、
トークバックがオン操作されている間、オペレータからの音声信号がトークバック信号として入力され、該トークバック信号を前記選択部により選択されているトークバック入力部に供給するトークバック部とを備え、
前記Ｍ個のトークバック入力部は、それぞれ、当該入力部に前記トークバック信号が供給されていないとき、対応する混合バスからの混合出力を，後続されている出力チャンネルに直接供給し、当該入力部に前記トークバック信号が供給されたとき、対応する混合バスからの混合出力のレベルを減衰させると共に、前記トークバック部から供給されたトークバック信号を減衰された混合出力にミックスして、後続されている出力チャンネルに供給することを特徴とするミキシングコンソール。
【発明の詳細な説明】
【技術分野】
【０００１】
この発明は、トークバック機能を備えるミキシングコンソールに関する。
【背景技術】
【０００２】
従来、ステージ等に配置された多数のマイクロホンや電気・電子楽器などから出力されるオーディオ信号のレベルや周波数特性を調整してミキシングし、パワーアンプに送り出すコンサートホール等で使用されるミキシングコンソールが知られている。ミキシングコンソールを操作するオペレータは、楽器音や歌唱の各オーディオ信号の音量や音色を、ディジタルミキサにおける各種パネル操作子を操作することにより、演奏を最もふさわしく表現していると思われる状態に調整している。ミキシングコンソールは、入力チャンネルからの音響信号をミキシングするバスと、ミキシングされた音響信号を出力する出力チャンネルを備えている。各入力チャンネルはそれぞれ入力される音響信号の周波数特性やミキシングレベル等を制御して各ミキシングバスに出力し、各ミキシングバスは入力された音響信号をミキシングして対応する出力チャンネルに出力する。出力チャンネルからの出力は増幅されてスピーカ等から放音される。
【０００３】
従来のミキシングコンソールでは、ミキシングコンソールを調整する際に、オペレータがステージのミュージシャンやスタッフ等と連絡を取って調整することも行われている。この際のオペレータとミュージシャン等の間の連絡用の機能としてトークバック機能が備えられている。トークバックでは、オペレータからの音声がトークバック信号としてミキシングバスに供給され、ミキシングバスから出力チャンネルに出力されたトークバック信号がステージ上に配置されたステージモニタスピーカから出力される。これにより、オペレータとステージのミュージシャンやスタッフ等の間で連絡がとれるようになる。
【先行技術文献】
【特許文献】
【０００４】
【特許文献１】特開２００２−３２５３００号公報
【発明の概要】
【発明が解決しようとする課題】
【０００５】
ミキシングコンソールにおいては、ＤＳＰ（ディジタル信号処理装置：Digital Signal Processor）により混合処理が行われており、従来のトークバック機能を備えるミキシングコンソールにおいて実行される混合処理アルゴリズムを示すブロック図を図６に示す。
図６に示すミキシングコンソール１００において、入力パッチ（Input Patch）１３０には複数の入力ポートからのディジタル信号が入力され、入力パッチ１３０において、複数の入力ポートのそれぞれが、Ｎチャンネルとされる入力チャンネル部１３１の各入力チャンネル（Input Channel）１３１−１，１３１−２，１３１−３，・・・・，１３１−Ｎに選択的にパッチ（結線）される。各入力チャンネル１３１−１〜１３１−Ｎには、入力パッチ１３０でパッチされた入力ポートからのオーディオ信号Ｉｎ．１，Ｉｎ．２，Ｉｎ．３，・・・，Ｉｎ．Ｎが供給される。入力チャンネル部１３１における各入力チャンネル１３１−１〜１３１−Ｎにおいて、入力されたオーディオ信号における音響信号の特性が調整されると共に送り出しレベルが制御されてＭ本の混合バス（Mix Bus）１３６およびＬ，Ｒのステレオのキューバス（Cue Bus）１３７へ送出される。この場合、入力チャンネル部１３１から出力されるＮ入力チャンネル信号は、Ｍ本の混合バス１３６の１ないし複数に選択的に出力される。混合バス１３６においては、Ｍ本の各バスにおいて、Ｎ入力チャンネルのうちの任意の入力チャンネルから選択的に入力された１ないし複数の入力チャンネル信号が混合されて、合計Ｍ通りの混合出力がＭチャンネルとされる出力チャンネル部１３３の各出力チャンネル（Output Channel）１３３−１，１３３−２，１３３−３，・・・・，１３３−Ｍに出力される。
【０００６】
各出力チャンネル１３３−１〜１３３−Ｍでは、各混合バス１３６において混合された音響信号の特性が調整されて、出力チャンネル信号Ｍｉｘ．１，Ｍｉｘ．２，Ｍｉｘ．３，・・・，Ｍｉｘ．Ｍとして出力され、このＭ出力チャンネル信号Ｍｉｘ．１〜Ｍｉｘ．Ｍは、出力パッチ（Output Patch）１３５に出力される。出力パッチ１３５では、出力チャンネル部１３３からのＭ出力チャンネル信号Ｍｉｘ．１〜Ｍｉｘ．Ｍの何れかを、複数の出力ポートのいずれかに選択的にパッチ（結線）することができ、各出力ポートには、出力パッチ１３５でパッチされた信号が供給される。出力ポートにおいて、出力チャンネル信号はアナログ出力信号に変換され、アンプにより増幅されてステージや会場に配置された複数のスピーカから放音される。また、Ｌ，Ｒのキューバス（Cue Bus）１３７においてはＮ入力チャンネルのうちの任意の入力チャンネルから選択的に入力された１ないし複数の入力チャンネル信号が混合されたキュー／モニタ用の信号がキュー／モニタ部（Cue/Monitor）１３４に出力される。キュー／モニタ部１３４にはトークバック部１３２からのトークバック信号も直接入力されており、キュー／モニタ部１３４においてキューバス１３７からの信号またはトークバック信号のいずれかが選択されてキュー／モニタ信号（Cue/Monitor）として出力される。キュー／モニタ信号は、オペレータルームに配置されたモニタ用スピーカやオペレータが装着するヘッドホン等から出力されてオペレータが検聴できるようになる。また、Ｍ本の混合バス１３６およびＬ，Ｒのキューバス１３７にはトークバック部（Talk Back）１３２からのトークバック信号も供給されており、出力チャンネル信号Ｍｉｘ．１〜Ｍｉｘ．Ｍおよびキュー／モニタ信号にトークバック信号がミックスされている。
【０００７】
キュー／モニタ部１３４の詳細構成を示す回路ブロック図を図７に示す。図７に示すキュー／モニタ部１３４において、第１のスイッチＳＷ１１０の固定接点ａ１０にはキューバス１３７からの信号が入力され、固定接点ｂ１０には他のソースからの信号が入力され、第１のスイッチＳＷ１１０により選択されたいずれかの信号が可動接点ｃ１０から出力されて、キュー出力（Cue Out）として出力されると共に第２のスイッチＳＷ１１１に供給される。第２のスイッチＳＷ１１１の固定接点ａ１１には第１のスイッチＳＷ１１０で選択された信号が入力され、固定接点ｂ１１にはトークバック部１３２からのトークバック信号が入力され、第２のスイッチＳＷ１１１により選択されたいずれかの信号が可動接点ｃ１１から出力される。この第２のスイッチＳＷ１１１から出力される信号は、レベルを一時的に減衰させるディマー１１２を介してモニタ出力（Monitor Out）として出力される。トークバックがオンされると、第２のスイッチＳＷ１１１は固定設定ｂ１１側（トークバック側）に切り換えられると共に、ディマー１１２は第２のスイッチＳＷ１１１から出力されるトークバック信号のレベルを一時的に減衰させるようになる。これにより、オペレータからの音声が減衰されてモニタスピーカ等からフィードバックされないようになる。なお、トークバックがオフされている場合は、ディマー１１２は第２のスイッチＳＷ１１１から出力される信号のレベルを減衰させることなくモニタ出力として出力する。
【０００８】
図６に示す従来のミキシングコンソール１００においては、トークバックをオンとした場合に、オペレータがトークバック用のマイクに向かってしゃべった音声がトークバック部１３２から混合バス１３６およびキューバス１３７に供給されて、入力チャンネル部１３１からの複数のオーディオ信号と混合される。そして、出力チャンネル部１３３および出力パッチ１３５を介してステージモニタスピーカから複数のオーディオ信号と混合されたオペレータの音声をステージ上のミュージシャン等が聴くことができるようになる。また、ミュージシャンがステージ上のマイクに向かってしゃべった音声は、入力パッチ１３０および入力チャンネル部１３１を介して混合バス１３６およびキューバス１３７に供給される。そして、キュー／モニタ部１３４からのキュー出力を聴くことにより、オペレータがミュージシャンの音声を聴くことができる。しかしながら、オペレータと会話をしているステージ上のミュージシャンは、オペレータからの音声を複数のオーディオ信号が混合された状態で聞くことから聴きづらくなる。
【０００９】
このように従来のミキシングコンソールにおいては、トークバックにより会話をしている場合に、主にトークバック信号だけを聞きたいという要求に応えることができないという問題点があった。この場合、トークバック信号を混合バス１３６に送る際に、混合バス１３６に供給される複数のオーディオ信号のセンドレベルを下げるようにすれば、オペレータとトークバックにより会話をしているミュージシャンはオペレータからの音声を主に聴くことができるものの、Ｎチャンネルの入力チャンネル１３１−１〜１３１−ＮのセンドレベルをＭ本の混合バス１３６毎に設定しなければならず、設定作業の工程数が膨大になると共に、通常使用の状態に戻す設定作業も非常に面倒になるという問題点があった。
そこで、本発明はトークバックにより会話をしている場合に、膨大な工程数の設定作業を行うことなくステージ上においてトークバック信号を主に聴くことができるミキシングコンソールを提供することを目的としている。
【課題を解決するための手段】
【００１０】
上記目的を達成するために、本発明のミキシングコンソールは、Ｎ入力チャンネル（Ｎは１以上の整数）を有する入力チャンネル部と、該入力チャンネル部における１以上の入力チャンネルから供給されるオーディオ信号をそれぞれ混合してＭ通り（Ｍは１以上の整数）の混合出力を出力するＭ本の混合バスと、該混合バスから出力される混合出力がそれぞれ供給されるＭ出力チャンネルを有する出力チャンネル部と、該出力チャンネル部における各出力チャンネルの前段にそれぞれ設けられているＭ個のトークバック入力部と、トークバック信号を前記トークバック入力部に供給するトークバック部とを備え、前記トークバック入力部は、トークバックがオンされた際に、前記混合バスからの混合出力を直接出力することに替えて、該混合出力のレベルを一時的に減衰させるディマーを介して出力すると共に、前記トークバック部から供給されたトークバック信号を阻止することに替えて出力するようにして、前記ディマーの出力と前記トークバック信号とをミックスして、後続されている前記出力チャンネルに供給することを最も主要な特徴としている。
【発明の効果】
【００１１】
本発明によれば、トークバックがオンされた際に、トークバック信号にミックスされる混合バスからの混合出力のレベルが一時的に減衰されて出力されることから、トークバック信号がミックスされている混合出力をモニタした際にトークバック信号を主に聴くことができるようになる。これにより、トークバック信号がミックスされている混合出力を出力チャンネルを介してステージ上等でモニタした際に、ステージ上のミュージシャン等はオペレータからの音声を主に聞くことができるようになる。この場合、個々の出力チャンネルからのモニタ出力に対して、独立したディマーの減衰量を設定できるため、例えばモニタ出力ごとに、出力チャンネルの出力信号とトークバック信号のミックス具合を個別に好きなように設定することができるようになる。
【図面の簡単な説明】
【００１２】
【図１】本発明の実施例にかかるミキシングコンソールの構成を示すブロック図である。
【図２】本発明にかかるミキシングコンソールにおいて実行される混合処理アルゴリズムを示すブロック図である。
【図３】本発明のミキシングコンソールにおけるトークバック入力部の詳細な構成を示す図である。
【図４】本発明のミキシングコンソールにおけるディマー値ＵＩの画面を示す図である。
【図５】本発明のミキシングコンソールにおけるディマー設定処理のフローチャートである。
【図６】従来のミキシングコンソールにおいて実行される混合処理アルゴリズムを示すブロック図である。
【図７】従来のミキシングコンソールにおけるキュー／モニタ部の詳細な構成を示す図である。
【発明を実施するための形態】
【００１３】
本発明の実施例にかかるミキシングコンソールの構成を示すブロック図を図１に示す。
図１に示すミキシングコンソール１は、ＣＰＵ（Central Processing Unit）１０が管理プログラム（ＯＳ：Operating System）を実行しており、ミキシングコンソール１の全体の動作をＯＳ上で制御している。ミキシングコンソール１は、ＣＰＵ１０が実行するミキシング制御プログラム等の動作ソフトウェアが格納されている不揮発性のＲＯＭ（Read Only Member）１１と、ＣＰＵ１０のワークエリアや各種データ等が記憶されるＲＡＭ（Random Access Memory）１２を備えている。ＣＰＵ１０は、ミキシング制御プログラムを実行することにより、入力された複数の音響信号に音響信号処理をＤＳＰ（ディジタル信号処理装置：Digital Signal Processor）２０により施して混合処理を行っている。なお、ＲＯＭ１１をフラッシュメモリ等の書き換え可能なＲＯＭとすることで、動作ソフトウェアの書き換えを可能とすることができ、動作ソフトウェアのバージョンアップを容易に行うことができる。ＤＳＰ２０はＣＰＵ１０の制御の基で、入力された音響信号の音量レベルや周波数特性を設定されたパラメータに基づいて調整してミキシングし、音量、パン、効果などの音響特性をそのパラメータに基づいて制御するディジタル信号処理を行っている。エフェクタ（ＥＦＸ）１９はＣＰＵ１０の制御の基で、ミキシングされたオーディオ信号にリバーブ、エコーやコーラス等のエフェクトを付加している。
【００１４】
表示ＩＦ１３は、液晶等のディスプレイからなる表示部１４にミキシングに関する種々の画面を表示させる表示インタフェースである。検出ＩＦ１５は、ミキシングコンソール１のパネルに設けられているフェーダ、ノブやスイッチ等の操作子１６をスキャンして、操作子１６に対する操作を検出しており、検出された操作信号に基づいて音響信号処理に用いるパラメータの値を変更することができる。なお、操作子１６にはトークバックをオン／オフするスイッチが設けられている。通信ＩＦ１７は、通信Ｉ／Ｏ１８を介して外部機器と通信を行うための通信インタフェースであり、イーサネット（登録商標）などのネットワーク用のインタフェースとされる。ＣＰＵ１０、ＲＯＭ１１、ＲＡＭ１２、表示ＩＦ１３、検出ＩＦ１５、通信ＩＦ１７、ＥＦＸ１９、ＤＳＰ２０は通信バス２１を介してデータ等の授受を行っている。
【００１５】
ＥＦＸ１９およびＤＳＰ２０は音声バス２５を介してＡＤ２２、ＤＡ２３、ＤＤ２４とデータ等の授受を行っている。ＡＤ２２は、ミキシングコンソール１にアナログ信号を入力する複数のアナログ入力ポートであり、ＡＤ２２において入力されたアナログ入力信号はディジタル信号に変換されて音声バス２５に送出される。ＤＡ２３は、ミキシングコンソール１からミキシングされた混合信号を外部へ出力する複数のアナログ出力ポートであり、ＤＡ２３において音声バス２５を介して受け取ったディジタル出力信号はアナログ信号に変換されて、会場やステージに配置されたスピーカから出力される。ＤＤ２４は、ミキシングコンソール１にディジタル信号を入力すると共に、外部にミキシングされたディジタル信号を出力する複数のディジタル入力／出力ポートであり、ＤＤ２４において入力されたディジタル入力信号は音声バス２５に送出され、音声バス２５を介して受け取ったディジタル出力信号はディジタルレコーダ等に出力される。なお、ＡＤ２２およびＤＤ２４から音声バス２５へ送出されたディジタル信号はＤＳＰ２０が受け取って上記したディジタル信号処理が施される。また、ＤＳＰ２０から音声バス２５に送出されたミキシングされたディジタル信号はＤＡ２３あるいはＤＤ２４が受け取るようになる。
【００１６】
次に、ミキシングコンソール１において実行される混合処理アルゴリズムを示すブロック図を図２に示す。
図２において、複数のアナログ入力ポート（ＡＤ２２）に入力された複数のアナログ信号はディジタル信号に変換されて入力パッチ（Input Patch）３０に入力される。また、複数のディジタル入力ポート（ＤＤ２４）に入力された複数のディジタル信号は、そのまま入力パッチ３０に入力される。入力パッチ３０では、信号の入力元である複数の入力ポートの何れか１つの入力ポートを、Ｎチャンネル（Ｎは１以上の整数）とされる入力チャンネル部３１の各入力チャンネル（Input Channel）３１−１，３１−２，３１−３，・・・・，３１−Ｎに選択的にパッチ（結線）している。各入力チャンネル３１−１〜３１−Ｎには、入力パッチ３０でパッチされた入力ポートからのオーディオ信号Ｉｎ．１，Ｉｎ．２，Ｉｎ．３，・・・，Ｉｎ．Ｎがそれぞれ供給される。
【００１７】
入力チャンネル部３１における各入力チャンネル３１−１〜３１−Ｎにおける各入力チャンネル信号は、イコライザやコンプレッサにより音響信号の特性が調整されると共に送り出しレベルが制御されてＭ本（Ｍは１以上の整数）の混合バス（Mix Bus）３７およびＬ，Ｒのステレオのキューバス（Cue Bus）３８へ送出される。この場合、入力チャンネル部３１から出力されるＮ入力チャンネル信号は、Ｍ本の混合バス３７の１ないし複数に選択的に出力される。混合バス３７においては、Ｍ本の各バスにおいて、Ｎ入力チャンネルのうちの任意の入力チャンネルから選択的に入力された１ないし複数の入力チャンネル信号が混合されて、合計Ｍ通りの混合出力が出力される。Ｍ本の混合バス３７の各バスからの混合出力はトークバック入力部３３におけるＭ個のＴＢ切換部（TB In）３３−１，３３−２，３３−３，・・・，３３−Ｍにそれぞれ供給される。Ｍ個のＴＢ切換部３３−１〜３３−Ｍの内のオペレータが予め選択した１つのＴＢ切換部にだけトークバック部３２からのトークバック信号が入力されており、トークバック信号が入力されているＴＢ切換部では混合バス３７からの混合出力のレベルを所定量減衰すると共に、減衰された混合出力にトークバック信号がミックスされて対応する出力チャンネルに出力される。なお、オペレータはトークバック信号を供給する混合バス３７の１本を選択することで、選択された混合バス３７に接続されているＴＢ切換部が選択され、このＴＢ切換部にのみトークバック信号が供給されるようになる。選択される混合バス３７は、オペレータが連絡したい相手のステージモニタスピーカに信号を出力する１本の混合バス３７とされる。また、トークバック信号が入力されていないＴＢ切換部では混合バス３７からの混合出力が、そのまま対応する出力チャンネルに直接出力される。このようにして、トークバック入力部３３におけるＭ個のＴＢ切換部３３−１〜３３−Ｍからの出力は、後続されているＭチャンネルとされる出力チャンネル部３４の各出力チャンネル（Output Channel）３４−１，３４−２，３４−３，・・・・，３４−Ｍにそれぞれ出力される。
【００１８】
各出力チャンネル３４−１〜３４−Ｍでは、イコライザやコンプレッサにより周波数バランス等の音響信号の特性が調整されて、出力チャンネル信号Ｍｉｘ．１，Ｍｉｘ．２，Ｍｉｘ．３，・・・，Ｍｉｘ．Ｍとして出力され、このＭ出力チャンネル信号Ｍｉｘ．１〜Ｍｉｘ．Ｍは、出力パッチ（Output Patch）３６に出力される。また、Ｌ，Ｒのキューバス（Cue Bus）３８においてはＮ入力チャンネルのうちの任意の入力チャンネルから選択的に入力された１ないし複数の入力チャンネル信号が混合されたキュー／モニタ用の信号がキュー／モニタ部（Cue/Monitor）３５に出力される。キュー／モニタ部３５から出力されるキュー／モニタ出力（Cue/monitor）は出力パッチ３６に出力される。
【００１９】
出力パッチ３６では、出力チャンネル部３４からのＭ出力チャンネル信号Ｍｉｘ．１〜Ｍｉｘ．Ｍおよびキュー／モニタ部３５からキュー／モニタ出力の何れかを、複数の出力ポート（ＤＡ２３およびＤＤ２４）のいずれかに選択的にパッチ（結線）することができ、各出力ポートには、出力パッチ３６でパッチされた出力チャンネル信号が供給される。ＤＡ２３の出力ポートにおいて、ディジタルの出力チャンネル信号はアナログ出力信号に変換され、アンプにより増幅されて会場に配置された複数のスピーカから放音される。さらに、このアナログ出力信号はステージ上のミュージシャン等が耳に装着するインイヤーモニタに供給されたり、その近傍に置かれたステージモニタスピーカで再生される。また、複数のディジタル出力ポートを備えるディジタル出力ポート部（ＤＤ２４）から出力されるディジタルオーディオ信号は、レコーダや外部接続されたＤＡＴ等に供給されてディジタル録音することができるようにされている。また、キュー／モニタ出力は出力パッチ３６でアサインされたＤＡ２３の出力ポートにおいてアナログ出力信号に変換され、オペレータルームに配置されたモニタ用スピーカやオペレータが装着するヘッドホン等から出力されてオペレータが検聴できるようになる。なお、キュー／モニタ部３５にはトークバック部３２からのトークバック信号も入力されており、キュー／モニタ部３５においてキューバス３８からの信号またはトークバック信号のいずれかが選択されてキュー／モニタ出力として出力される。
【００２０】
Ｍ個のＴＢ切換部３３−１〜３３−Ｍは同じ構成とされており、その内のｊ番目のＴＢ切換部（TB In）３３−ｊの詳細構成を示す回路ブロック図を図３に示す。図３に示すＴＢ切換部３３−ｊにおいて、スイッチＳＷ４１は２回路２接点のスイッチとされ、第１回路の固定接点ａ１には混合バス３７からの混合出力が入力され、固定接点ｂ１には該混合出力のレベルを一時的に減衰させるディマー４０の出力が入力されている。また、第２回路の固定接点ａ２は開放されており、固定接点ｂ２にはトークバック部３２からのトークバック信号が入力されている。第１回路の可動接点ｃ１と第２回路の可動接点ｃ２とは接続されて両回路から出力される信号がミックスされている。ここで、トークバック信号を供給するＴＢ切換部としてオペレータが予めＴＢ切換部３３−ｊを選択しており、トークバックがオンされている間は、スイッチＳＷ４１は図３に示す状態の反対側に切り換えられ、混合バス３７からの混合出力がディマー４０により一時的にレベルが減衰されて出力されると共に、オフされていたトークバック信号が出力される。そして、ディマー４０から出力される減衰された混合信号とトークバック信号とがミックスされて出力チャンネル３４−ｊに供給されるようになる。なお、ディマー４０の減衰量は任意の量に設定することができる。また、図３に示すスイッチＳＷ４１の状態は、トークバックがオフされている状態、あるいはトークバック信号を供給するＴＢ切換部としてＴＢ切換部３３−ｊが選択されていない場合とされ、この状態においては混合バス３７からの混合出力がそのままＴＢ切換部３３−ｊから出力されて直接出力チャンネル３４−ｊに供給される。
また、キュー／モニタ部３５の構成は従来のミキシングコンソール１００におけるキュー／モニタ部１３４と同様とされているので、その説明は省略する。
【００２１】
このように本発明のミキシングコンソール１においては、トークバック部３２に接続されているマイクのスイッチをオペレータがオンしてマイクに向かってしゃべることによりトークバックがオンされて、トークバック部３２からのトークバック信号がオペレータにより選択されているＴＢ切換部を介して後続されている出力チャンネル３４−１〜３４−Ｍのいずれかに供給され、トークバックがオンされている間は当該出力チャンネルから出力される出力チャンネル信号には減衰された混合出力にトークバック信号がミックスされるようになる。そして、この出力チャンネル信号はステージに配置されたオペレータが連絡したい相手先のステージモニタスピーカから出力されて、オペレータがしゃべった音声を連絡したいステージ上のアクセス先とされるミュージシャン等だけが聴くことができるようになる。この場合、トークバック信号がミックスされる混合出力のレベルはディマー４０によりトークバック用のマイクがオンされている間は減衰されることから、ステージ上のアクセス先のミュージシャン等は主にオペレータからの音声を聞くことができるようになる。また、オペレータからの音声を聞く必要のない他のミュージシャンに割り当てられた出力チャンネル用のＴＢ切換部においては、トークバック信号が供給されないとと共に混合出力はディマー４０をバイパスして出力される。これにより、オペレータのアクセス先のミュージシャンは主にオペレータからの音声を聞くことができると共に、オペレータからの音声を聞く必要のない他のミュージシャンは混合出力をモニタすることができるようになる。
【００２２】
次に、ＴＢ切換部３３−１〜３３−Ｍにおけるディマー４０を設定するディマー値ＵＩ５０のユーザインタフェース画面を図４に示す。
ディマー値ＵＩ５０のユーザインタフェース画面を表示部１４に表示させると、ＴＢ切換部３３−１〜３３−Ｍにおけるそれぞれのディマー４０を設定することができる。ディマー値ＵＩ５０において、「TB Dimmer」と表示されて破線で区切られている領域は、ＴＢ切換部３３−１〜３３−ＭにおけるＭ個のディマー４０を一括設定する一括設定欄とされ、「Mix1  Mix2  Mix3  Mix4」と表示されている領域は、ＴＢ切換部３３−１〜３３−ＭにおけるＭ個のディマー４０を個別に設定する個別設定欄とされている。なお、図示されていないが個別設定欄ではＭ出力チャンネル分を個別に設定できるようにされている。ここで、一括設定欄のスイッチ５３をオンするとＴＢ切換部３３−１〜３３−Ｍにおけるディマー４０を使用するように一括して設定されて、ＴＢ切換部３３−１〜３３−Ｍにおけるスイッチ４１がトークバックオン側へ一斉に切り換えられる。この際に、ノブ５２によりＴＢ切換部３３−１〜３３−Ｍにおけるディマー４０の減衰量であるディマー値（Dimmer Level）を任意の値に一括設定することができる。設定した際には、ノブ５２の回転に応じたディマー値が表示部５１に表示される。なお、以下に説明するが一括設定できるＴＢ切換部３３−１〜３３−Ｍは、個別設定を使用しないと設定されているＴＢ切換部に限られる。
【００２３】
個別設定欄のＴＢ切換部３３−１〜３３−Ｍにおいて、「Mix1  Mix2  Mix3  Mix4」の各欄はその出力チャンネル信号に対応するＴＢ切換部をそれぞれ設定するようにされている。この場合、各ＴＢ切換部を設定する欄の構成は同じとされており、後段に出力チャンネル３４−１が接続されているＴＢ切換部３３−１の設定について説明すると、個別設定欄の「Mix1」の欄におけるスイッチ（self）５７をオンすると、ＴＢ切換部３３−１は個別設定を使用するよう設定される。次いで、スイッチ５６をオンすると、ＴＢ切換部３３−１、すなわち出力チャンネル３４−１におけるディマー４０を使用するように設定されて、スイッチ４１がトークバック側（固定接点ｂ１，ｂ２側）へ切り換えられる。また、スイッチ（self）５７およびスイッチ５６がオンの場合は、ノブ５５によりＴＢ切換部３３−１におけるディマー４０の減衰量とされるディマー値（Dimmer Level）を任意の値に設定することができる。この際に、ノブ５５の回転に応じたディマー値が表示部５４に表示される。このように、ＴＢ切換部３３−１〜３３−Ｍの各ＴＢ切換部、すなわち出力チャンネル３４−１〜３４−Ｍの各出力チャンネルにおいて個別設定を使用するか否かを、各出力チャンネルに対応しているスイッチ（self）５７を操作することにより出力チャンネル毎に決めることができる。また、個別設定を使用する場合は、各出力チャンネル毎にディマー４０を使用するか否かを設定できると共に、ディマー値も各出力チャンネルごとに任意の値に設定することができる。
【００２４】
ここで、個別設定欄においてスイッチ（self）５７がオフされて個別設定を使用しないよう設定されているＴＢ切換部では、個別設定欄のノブ５５およびスイッチ５６はグレー表示されて操作することができないと共に、表示部５４は消灯されてノブ５５によりディマー値が設定されていてもその値はグレー表示される。そして、スイッチ（self）５７がオフされているＴＢ切換部には、一括設定欄の設定内容が反映される。すなわち、スイッチ５３がオンされている場合は当該ＴＢ切換部のディマー４０を使用するよう設定される。また、ノブ５２によりディマー値が設定されている場合は、当該ＴＢ切換部のディマー４０に、そのディマー値が設定される。
また、個別設定欄においてスイッチ（self）５７がオンされて個別設定を使用するよう設定されているＴＢ切換部では、個別設定欄のノブ５５およびスイッチ５６は本来の表示色で表示されて操作できるようになる。この場合、スイッチ５６がオフされてディマー４０を使用しないよう設定されている場合は、当該ＴＢ切換部の表示部５４は消灯されてノブ５５によりディマー値が設定されていてもグレー表示され、ディマー４０に設定されるディマー値は「０」とされる。ここで、スイッチ５６がオンされてディマー４０を使用するよう設定された場合は、当該ＴＢ切換部の表示部５４は点灯されてノブ５５により設定されているディマー値が明るく表示され、表示されているディマー値がディマー４０に設定される。
なお、ディマー値ＵＩ５０上のスイッチやノブの操作はマウス等のポインティングデバイスにより操作することができる。そして、ディマー値ＵＩ５０において確定ボタン（Ok）をクリックすると、それまでに設定された設定内容がＴＢ切換部３３−１〜３３−Ｍに設定され、破棄ボタン（Cancel）５９を操作するとそれまでに設定された設定内容は破棄されてＴＢ切換部３３−１〜３３−Ｍの設定状態は変更されないようになる。
【００２５】
次に、本発明にかかるミキシングコンソール１で実行されるディマー設定処理のフローチャートを図４に示す。
操作子１６に設けられているトークバックをオン／オフするＴＢスイッチを操作してトークバックをオンするとディマー設定処理がスタートされる。ディマー設定処理では、ＴＢ切換部３３−１〜３３−Ｍの各ＴＢ切換部毎の設定処理が実行される。ディマー設定処理がスタートされると、ステップＳ１０にてＴＢ切換部３３−１〜３３−Ｍの各ＴＢ切換部毎にディマーを使用するか否かが判断されるが、対応する個別設定欄のスイッチ５６およびスイッチ（self）５７がオンされているＴＢ切換部の場合、および、スイッチ（self）５７がオフされているＴＢ切換部であっても、一括設定欄のスイッチ５３がオンされている場合はディマーを使用すると判断されてステップＳ１１に進む。ステップＳ１１では、一括設定を使用するか否かが判断され、個別設定欄のスイッチ（self）５７がオンされているＴＢ切換部の場合は、一括設定を使用しないと判断されてステップＳ１２に分岐して、当該ＴＢ切換部に対応する個別設定欄のノブ５５により設定されているディマー値の設定値が取得される。また、スイッチ（self）５７がオフされているＴＢ切換部の場合は、一括設定を使用すると判断されてステップＳ１３に分岐して、一括設定欄のノブ５２により設定されているディマー値の設定値が取得される。そして、ＴＢ切換部３３−１〜３３−Ｍの各ＴＢ切換部毎にステップＳ１０ないしステップＳ１３の処理が終了すると、ステップＳ１４に進み、ステップＳ１２あるいはステップＳ１３により取得されたディマー値が対応するＴＢ切換部に設定されてディマー設定処理は終了する。また、個別設定欄のスイッチ（self）５７がオンされているが、スイッチ５６がオフされているＴＢ切換部の場合、および、個別設定欄のスイッチ（self）５７がオフされてされているＴＢ切換部であっても、一括設定欄のスイッチ５３がオフされている場合はステップＳ１０にてディマーを使用しないと判断され、そのままディマー設定処理は終了する。なお、ディマーを使用しないＴＢ切換部におけるディマー４０ではディマー値は「０」に設定される。
【産業上の利用可能性】
【００２６】
以上説明した本発明のミキシングコンソールにおいて、トークバックがオンされた際にキュー／モニタ部３５からトークバック信号に混合信号をミックスしてモニタ出力として出力するようにしても良い。この場合、トークバック信号のみのレベルをディマーにより減衰させて出力するのが好適とされる。
【符号の説明】
【００２７】
１  ミキシングコンソール、１０  ＣＰＵ、１１  ＲＯＭ、１２  ＲＡＭ、１３  表示ＩＦ、１４  表示部、１５  検出ＩＦ、１６  操作子、１７  通信ＩＦ、１８  通信Ｉ／Ｏ、１９  ＥＦＸ、２０  ＤＳＰ、２１  通信バス、２２  ＡＤ、２３  ＤＡ、２４  ＤＤ、２５  音声バス、３０  入力パッチ、３１  入力チャンネル部、３１−１〜３１−Ｎ  入力チャンネル、３２  トークバック部、３３  トークバック入力部、３３−１〜３３−Ｍ  ＴＢ切換部、３４  出力チャンネル部、３４−１〜３４−Ｍ  出力チャンネル、３５  キュー／モニタ部、３６  出力パッチ、３７  混合バス、３８  キューバス、４０  ディマー、５０  ディマー値ＵＩ、５１  表示部、５２  ノブ、５３  スイッチ、５４  表示部、５５  ノブ、５６  スイッチ、５７  スイッチ（self）、１００  ミキシングコンソール、１１２  ディマー、１３０  入力パッチ、１３１  入力チャンネル、１３１  入力チャンネル部、１３１−１〜１３１−Ｎ  入力チャンネル、１３２  トークバック部、１３３  出力チャンネル部、１３３−１〜１３３−Ｍ  出力チャンネル、１３４  キュー／モニタ部、１３５  出力パッチ、１３６  混合バス、１３７  キューバス、ＳＷ４１  スイッチ、ＳＷ１１０，ＳＷ１１１  スイッチ
【図１】
2011024169.tif 000003
【図２】
2011024169.tif 000004
【図３】
2011024169.tif 000005
【図４】
2011024169.tif 000006
【図５】
2011024169.tif 000007
【図６】
2011024169.tif 000008
【図７】
2011024169.tif 000009